(57)【要約】      （修正有）【課題】変形しにくく、構造が強固となり、製品の加工精度を保持することができるガントリー移動可能式ワイヤー切断機用強化台座を提供する。【解決手段】ガントリー移動可能式ワイヤー切断機用強化台座は、台座１０と、移動可能式ガントリーと、を備え、移動可能式ガントリーは、台座１０に取り付けられており、台座１０の頂部にリニアガイドウェー３０が複数設けられており、これらのリニアガイドウェー３０により、移動可能式ガントリーは台座１０を移動することができ、台座１０を取付のベースとし、台座１０の高さ方向に沿って延びる方向をＺ方向とし、Ｘ方向およびＹ方向はＺ方向に垂直であり、リニアガイドウェーはＹ方向に平行である。台座１０の底部に足台１１が五つ設けられており、これらの足台１１は、台座１０の前端に一つ、台座１０の左右側にそれぞれ二つ設けられており、台座１０の結構の強度を増加する。【選択図】図２
0003233516.tif 000002
【実用新案登録請求の範囲】
【請求項１】
台座と、移動可能式ガントリーと、を備え、前記移動可能式ガントリーは、前記台座に取り付けられており、前記台座の頂部にリニアガイドウェーが複数設けられており、これらの前記リニアガイドウェーにより、前記移動可能式ガントリーは前記台座を移動することができ、前記台座を取付のベースとし、前記台座の高さ方向に沿って延びる方向をＺ方向とし、Ｘ方向およびＹ方向は前記Ｚ方向に垂直であり、前記リニアガイドウェーはＹ方向に平行であるガントリー移動可能式ワイヤー切断機用強化台座において、
前記台座の底部に足台が五つ設けられており、これらの前述足台は、前記台座の前端に一つ、前記台座の左右側にそれぞれ二つ設けられており、台座の結構の強度を増加することを特徴とするガントリー移動可能式ワイヤー切断機用強化台座。
【請求項２】
前記移動可能式ガントリーは、前記リニアガイドウェーに連接されており、これにより、前記移動可能式ガントリーはＹ方向に沿って移動することができ、前記移動可能式ガントリーの後端には、Ｘ方向に沿って延び、放射状に配列される補強リブが設けられていることを特徴とする、請求項１に記載のガントリー移動可能式ワイヤー切断機用強化台座。
【請求項３】
前記リニアガイドウェーは、３セットあり、それぞれ前記台座の上方の左側、右側および中央に設けられており、前記リニアガイドウェーにより、前記移動可能式ガントリーの重量が分散され、寿命を長く延ばすことができることを特徴とする、請求項１に記載のガントリー移動可能式ワイヤー切断機用強化台座。
【考案の詳細な説明】
【技術分野】
【０００１】
本考案は、ガントリー式ワイヤー切断機に関し、特に、ガントリー移動可能式ワイヤー切断機用強化台座に関するものである。
【背景技術】
【０００２】
本願の出願者は、台湾実用新案第Ｍ４２１８４９号のガントリー移動可能式ワイヤー切断機を提案した。当該提案の特徴は、そのヘッド部加工ユニットが移動可能式強化ガントリーに設けられており、前記移動可能式強化ガントリーは、周縁が封止され、ロ字形を呈する空間を有することにある。これにより、前記移動可能式強化ガントリーの結構の強度を大幅に増加することができる。そして、本創作に係るガントリー移動可能式ワイヤー切断機の工作台は、固定式を採用し、占める空間が減少し、より重いワークを置くことができ、加工槽は、水位の高さの変化により、重心が変化することがなく、前記ヘッド部加工ユニットと工作台との間の距離は、前記移動可能式強化ガントリーを移動することによって達成し、前記移動可能式強化ガントリーを駆動する負荷は一定なため、加工の精度を確保することができ、作製の精度を向上することもできる。
【０００３】
上記の製品は、良く売れたが、下記の欠点がある。
（１）台湾実用新案第Ｍ４２１８４９号のガントリー移動可能式ワイヤー切断機の図６を参照する。台座は、それぞれ前方と左右側とに設けられている三つの足台を備えるが、長期間に使用されると、台座は、上端にある移動可能式強化ガントリーの重量により、変形が発生して、加工精度が降下するという問題があった。
【０００４】
（２）台湾実用新案第Ｍ４２１８４９号のガントリー移動可能式ワイヤー切断機の図７を参照する。移動可能式強化ガントリーの構成は、９個の巣状の構造で構成されるため、移動可能式強化ガントリーがより重く、材料コストが増加し、運搬および組付けが不便となる。
【０００５】
（３）台湾実用新案第Ｍ４２１８４９号のガントリー移動可能式ワイヤー切断機の図６を参照する。移動可能式強化ガントリーは、台座に組付けられている二本のレールをスライドするが、長期間に使用されると、レールが変形しやすい。
【先行技術文献】
【特許文献】
【０００６】
【特許文献１】台湾実用新案第Ｍ４２１８４９号公報
【考案の概要】
【考案が解決しようとする課題】
【０００７】
本考案の主な目的は、変形しにくく、構造が強固となり、製品の加工精度を保持することができるガントリー移動可能式ワイヤー切断機用強化台座を提供することにある。
【０００８】
本考案の次の目的は、移動可能式ガントリーの重量を減少することができ、放射状を呈する補強リブにより、移動可能式ガントリーの構造の強度は減少することがないガントリー移動可能式ワイヤー切断機用強化台座を提供することにある。
【０００９】
本考案の別の目的は、リニアガイドウェーを設けることにより、移動可能式ガントリーの重量を分散することができ、寿命を長く延ばすことができるガントリー移動可能式ワイヤー切断機用強化台座を提供することにある。
【課題を解決するための手段】
【００１０】
本考案に係るガントリー移動可能式ワイヤー切断機用強化台座によると、台座と、移動可能式ガントリーと、を備え、移動可能式ガントリーは、台座に取り付けられており、台座の頂部にリニアガイドウェーが複数設けられており、これらのリニアガイドウェーにより、移動可能式ガントリーは台座を移動することができ、台座を取付のベースとし、台座の高さ方向に沿って延びる方向をＺ方向とし、Ｘ方向およびＹ方向はＺ方向に垂直であり、リニアガイドウェーはＹ方向に平行であるガントリー移動可能式ワイヤー切断機用強化台座において、
台座の底部に足台が五つ設けられており、これらの足台は、台座の前端に一つ、台座の左右側にそれぞれ二つ設けられており、台座の結構の強度を増加することを特徴とする。
【００１１】
本考案に係るガントリー移動可能式ワイヤー切断機用強化台座によると、移動可能式ガントリーは、リニアガイドウェーに連接されており、これにより、移動可能式ガントリーはＹ方向に沿って移動することができ、移動可能式ガントリーの後端には、Ｘ方向に沿って延び、放射状に配列される補強リブが設けられていることを特徴とする。
【００１２】
本考案に係るガントリー移動可能式ワイヤー切断機用強化台座によると、リニアガイドウェーは、３セットあり、それぞれ台座の上方の左側、右側および中央に設けられており、リニアガイドウェーにより、移動可能式ガントリーの重量が分散され、寿命を長く延ばすことができることを特徴とする。
【考案の効果】
【００１３】
本考案に係るガントリー移動可能式ワイヤー切断機用強化台座によれば、次のような効果がある。
（１）本考案に係る構成は、足台を増設することにより、台座を強化する効果を有するため、台座は、変形しにくく、構造が強固となり、製品の加工精度を保持することができる。
【００１４】
（２）本考案に係る移動可能式ガントリーの後端に設けられている放射状を呈する補強リブにより、移動可能式ガントリーの重量を減少することができ、放射状を呈する補強リブにより、移動可能式ガントリーの構造の強度は減少することがない。
【００１５】
（３）本考案に係る台座にリニアガイドウェーを設けることにより、移動可能式ガントリーの重量を分散することができ、寿命を長く延ばすことができる。
【図面の簡単な説明】
【００１６】
【図１】本考案に係るガントリー移動可能式ワイヤー切断機用強化台座の構成を示す図である。
【図２】本考案に係る台座の構成を示す斜視図である。
【図３】本考案に係る台座を示す平面図である。
【考案を実施するための形態】
【００１７】
以下、本考案の実施の形態を図面に基づいて説明する。
【００１８】
図１から図３を参照する。本考案に係るガントリー移動可能式ワイヤー切断機用強化台座は、台座１０と、移動可能式ガントリー２０と、を備える。移動可能式ガントリー２０は、台座１０に取り付けられており、台座１０の頂部にリニアガイドウェー３０が複数設けられている。これらのリニアガイドウェー３０により、移動可能式ガントリー２０は、台座１０を移動することができ、台座１０と共に取付のベースとされる。台座１０高さ方向に沿って延びる方向をＺ方向とし、Ｘ方向とＹ方向とはＺ方向に垂直である。リニアガイドウェー３０はＹ方向に平行である。
【００１９】
図２及び図３を参照する。台座１０の底部に足台１１が五つ設けられている。これらの足台１１は、台座１０の前端に一つ、左右側にそれぞれ二つ取り付けられている。これにより、台座１０は、構造の強度を増加することができ、変形しにくく、構造が強固となり、製品の加工精度を保持することができる。
【００２０】
図１を参照する。移動可能式ガントリー２０は、リニアガイドウェー３０に連接されているため、移動可能式ガントリー２０はＹ方向に沿って移動することができ、移動可能式ガントリー２０の後端に、Ｘ方向に沿って延び、放射状に配列される補強リブ２１が設けられている。移動可能式ガントリー２０の後端に設けられており放射状に配列される補強リブ２１により、移動可能式ガントリー２０の重量を減少することができ、且つ補強リブ２１の放射状な構成により、移動可能式ガントリー２０の構造の強度は減少することがない。補強リブ２１により、材料のコストを減少することができ、運搬および組付けが容易となる。
【００２１】
図２を参照する。リニアガイドウェー３０は、３セットあり、それぞれ台座１０の上方の左側、右側および中央に設けられている。これらのリニアガイドウェー３０により、移動可能式ガントリー２０の重量が分散され、寿命を長く延びることができる。
【００２２】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００２３】
１０  台座
１１  足台
２０  移動可能式ガントリー
２１  補強リブ
３０  リニアガイドウェー
【図１】
0003233516.tif 000003
【図２】
0003233516.tif 000004
【図３】
0003233516.tif 000005